【手続補正書】
【提出日】平成16年10月21日(2004.10.21)
【手続補正１】
【補正対象書類名】明細書
【補正対象項目名】全文
【補正方法】変更
【補正の内容】
【書類名】明細書
【発明の名称】感圧記録用紙
【特許請求の範囲】
【請求項１】古紙を原料とした原紙を有する感圧記録用紙であって、
前記原紙が、パルプ原料中に雑誌古紙パルプを３０〜１００重量％含む再生紙であることを特徴とする感圧記録用紙。
【請求項２】前記原紙が、パルプ原料中に雑誌古紙パルプを１００重量％含む再生紙である請求項１記載の感圧記録用紙。
【請求項３】前記雑誌古紙パルプは、補助理解機能付き高濃度パルパーにて処理する工程を含む製造方法により製造されたものである請求項１または２記載の感圧記録用紙。
【請求項４】前記原紙は、ＪＩＳ  Ｐ  ８１１９に規定されるベック平滑度が４０秒以上である請求項１〜３の何れか１項に記載の感圧記録用紙。
【請求項５】前記原紙は、ＪＩＳ  Ｐ  ８１３８に規定される不透明度が６５％以上である請求項１〜４の何れか１項に記載の感圧記録用紙。
【発明の詳細な説明】
【０００１】
【発明の属する技術分野】
本発明は、感圧記録用紙に関し、特に電子供与性染料と電子受容性化合物の呈色反応を利用した感圧記録用紙に関する。
【０００２】
【従来の技術】
近年、環境保護の見地から古紙利用の要請が高まっており、紙面に情報を記録するのに適した情報記録用紙においても、古紙パルプ１００％を原料とする紙が登場してきている。この分野で実用化されているのは、新聞紙やチラシ紙等のように多種類の夾雑物が出にくい上質古紙を処理して製造した上質古紙パルプを原料としたものであり、雑誌・書物を含む雑誌古紙を再生してなる雑誌古紙パルプは利用されていない。しかしながら、情報用紙分野においても、環境保護の観点から、また、雑誌・書物等を含む雑誌古紙は安価であることから、その利用が望まれている。
【０００３】
一方、感圧記録用紙は、原紙の片面に、電子供与性染料を含有するマイクロカプセルを含む層を設けたいわゆる上用紙、電子供与性染料と接触反応して呈色する顕色剤を含む層を設けた下用紙、原紙の片面にマイクロカプセルを含む層を設け他方の面に顕色剤を設けたいわゆる中用紙、マイクロカプセルを含む層と顕色剤を含む層を設けた自己発色紙などが知られている。これらを適宜組み合わせたり、その用途によって選択したりして使用されている。かかる感圧記録用紙においても上質古紙パルプ１００％を原料パルプとする基紙とした例があり実用化もされている。
【特許文献】
特開平６−５５８３５
【０００４】
【発明が解決しようとする課題】
しかしながら、上質古紙パルプ１００％を原料とする感圧記録用紙は、ベック平滑度が概ね４０秒以上と低く、この平滑度の低さに起因すると推測される、筆記やプリンター等の打圧以外の不意な摩擦等により紙面が汚れるいわゆる発色汚れが発生することが多々あった。また、この発色汚れの改善の研究はなされているが、発色汚れの改善とともに、情報記録時の発色性も低下している。
【０００５】
そこで、本発明の主たる課題は、安価な雑誌古紙パルプを原料として、発色性が良く、発色汚れが少なく、しかも不透明度が高い、印刷適性および作業適性に優れる感圧記録用紙を提供することにある。
【０００６】
【課題を解決するための手段】
上記課題を解決した本発明およびその作用効果は次記のとおりである。
＜請求項１記載の発明＞
古紙を原料とした原紙を有する感圧記録用紙であって、
前記原紙が、パルプ原料中に雑誌古紙パルプを３０〜１００重量％含む再生紙であることを特徴とする感圧記録用紙。
【０００７】
＜請求項２記載の発明＞
前記原紙が、パルプ原料中に雑誌古紙パルプを１００重量％含む再生紙である請求項１記載の感圧記録用紙。
【０００８】
＜請求項３記載の発明＞
前記雑誌古紙パルプは、補助理解機能付き高濃度パルパーにて処理する工程を含む製造方法により製造されたものである請求項１または２記載の感圧記録用紙。
【０００９】
＜請求項４記載の発明＞
前記原紙は、ＪＩＳ  Ｐ  ８１１９に規定されるベック平滑度が４０秒以上である請求項１〜３の何れか１項に記載の感圧記録用紙。
【００１０】
＜請求項５記載の発明＞
前記原紙は、ＪＩＳ  Ｐ  ８１３８に規定される不透明度が６５％以上である請求項１〜４の何れか１項に記載の感圧記録用紙。
【００１１】
（作用効果）
原紙をパルプ原料中に雑誌古紙パルプを３０〜１００重量％含む再生紙としたので、不透明度が高くなり、しかも、発色汚れの問題が改善される。また、雑誌古紙を再生した雑誌古紙パルプを主原料とする基紙を利用するので、環境保護の見地から好ましい感圧記録用紙となるとともに、感圧記録用紙のコストダウンが図られる。
【００１２】
【発明の実施の形態】
次いで、本発明の実施の形態を以下に詳述する。
本発明は、古紙を原料とした原紙を有する感圧記録用紙である。本発明にかかる感圧記録用紙は、いわゆる上用紙、中用紙、下用紙、自己発色用紙であるかは限定されない。もちろん、それらに類する原紙の表裏面にマイクロカプセル含有塗液や顕色剤含有塗液などを塗工した感圧記録層が設けられている感圧記録用紙であってもよい。
【００１３】
前記原紙は、パルプ原料中に雑誌古紙パルプを３０〜１００重量％含む再生紙とする。なお、より好ましくは８０％〜１００％、特別には１００％として抄紙した再生紙とする。
【００１４】
本発明に従って、感圧記録用紙の原紙を、雑誌古紙パルプ３０〜１００重量％を原料として抄紙した再生紙とすると、予期せぬ次記の利点があることが判った。
【００１５】
（１）従来の上質古紙パルプ１００％を原料とした基紙と比較して、印刷適性に優れた原紙となり、従来の問題点であった発色汚れが改善される。いわゆる雑誌古紙では、上質古紙と比較して機械パルプの量が多く、また、繊維種については上質古紙より多様性を有するため、繊維長分布がより平坦なカーブを描く。また、バージンパルプや上質古紙パルプを原料とする従来の原紙よりもクッション性に優れる原紙となる。すなわち、繊維種の多様性により、長繊維と短繊維とのからみ、または、長繊維間に短繊維が入り込むことに等により、不透明度、地合（平滑度）およびクッション性が向上する。そして、クッション性の向上に関連して、摩擦圧等が緩衝されるため、不本意な圧力に起因する発色汚れが防止される。結果、筆記やプリンター印字による発色能力を低下させることなく、効果的に発色汚れが改良されたものとなる。
【００１６】
（２）また、高白色度が要求される雑誌・書物用の紙は填料含有量が多いので、その古紙が含有していた填料により填料配合量が少なくとも、不透明度が高く、記録情報の視認性がよく印刷適性に優れたものが得られる。
【００１７】
（３）上質古紙と比較して雑誌古紙は非常に安価であるため、原料価格がコスト安となる。
【００１８】
一方、上記の原紙に感圧記録層を設けるには、常法に従ってマイクロカプセル含有塗液や顕色剤含有塗液などの感圧塗料を塗工して形成すればよい。かかる塗工には、例えばエアーナイフコーター、ロールコーター、ブレードコーター、ロッドコーター、カーテンコーターなど適当な塗被装置によって塗布することができる。塗工量としては、乾燥重量２〜１０ｇ／ｍ2程度とするのが好適である。
【００１９】
前記マイクロカプセル含有塗液は、一般的には、トリアリールメタンラクトン類、スピロピラン類、フルオラン類、ジフェニルメタン類、アジン類などの塩基性染料をアルキル化ナフタレン、アルキル化ジフェニル、アルキル化ジフェニルメタン、アルキル化ターフェニルなどの合成油、木綿油、ヒマシ油などの植物油、動物油、鉱物油或いはこれらの混合物などからなる溶媒に溶解し、コアセルベーション法、界面重合法、in−situ法などの各種カプセル製造法によりマイクロカプセル中に含有させ、バインダー中に分散させる方法などで調製される。
前記顕色剤含有塗液は、一般的には、酸性白土、活性白土、アタパルガイトなどの無機顕色剤、各種脂肪族カルボン酸、安息香酸、p −tert−ブチル安息香酸、フタル酸、没食子酸、サリチル酸、３−イソプロピルサリチル酸、３−フェニルサリチル酸、３−シクロヘキシルサリチル酸、３，５−ジ−tert−ブチルサリチル酸、３−メチル−５−ベンジルサリチル酸、３−フェニル−５−（α、α−ジメチルベンジル）サリチル酸、３，５−ジ−（α−メチルベンジル）サリチル酸、２−ヒドロキシ−１−ベンジル−３−ナフトエ酸、３−ドデシルサリチル酸、３−ドデシルー５−メチルサリチル酸、３，５−ジ−ドデシルサリチル酸、３−ノニルサリチル酸、３−ノニルー５−メチルサリチル酸、３，５−ジ−ノニルサリチル酸、ピネン化サリチル酸、ベンジル化スチレン化サリチル酸などの芳香族カルボン酸、ｐ−フェニルフェノール−ホルマリン樹脂、ｐ−ブチルフェノール−アセチレン樹脂などのフェノール樹脂の如き有機顕色剤、さらにはこれら有機顕色剤と例えば亜鉛、マグネシウム、アルミニウム、カルシウム、チタン、マンガン、スズ、ニッケルなどの多価金属との塩などの各種顕色剤をバインダー中に分散させる方法などで調製される。
【００２０】
前記バインダーとしては例えばデンプン類、セルロース類、蛋白質類、アラビアゴム、ポリビニルアルコール、スチレン−無水マレイン酸共重合体塩、スチレン−ブタジエン共重合体エマルジョン、酢ビ−無水マレイン酸共重合体塩、ポリアクリル酸塩などが適宜選択して用いられる。
【００２１】
（基紙の製造方法について）
ここで、本発明に好適な原紙の製造方法について説明する。
図１は、雑誌古紙を原料とする再生紙製造フローを示している。本発明では、新聞紙、チラシのほか、雑誌古紙、書物等が混在した無選別古紙が使用される。原料古紙は、先ずパルパー等の機械攪拌式離解装置１に投入され、水等の溶解液中で離解され、繊維懸濁液とされる（離解工程）。なお、機械攪拌式離解装置１として特に好適なものは、補助理解機能付き高濃度パルパーである。
【００２２】
離解処理においては、水酸化ナトリウムや珪酸ナトリウム等のアルカリ剤を主体とする脱墨薬品（通常は界面活性剤のほか、珪酸ソーダ及び炭酸ソーダの少なくとも一方を含む緩衝材等を加える）を懸濁液に添加しアルカリソーキングを行うことができる。また、離解処理は、同種の又は異種の離解装置（高濃度パルパーと低濃度パルパーとの組合せ等）による複数段処理とすることもできる。
【００２３】
離解工程から得られた懸濁液は、次に夾雑物除去工程に移される。本実施形態の夾雑物除去工程は、除塵工程２およびフローテーション工程５から構成されている。除塵工程では、機械攪拌力により懸濁液中の未離解パルプ繊維が離解される（補助離解）とともに夾雑物が実質的に微細化されずに分離除去される。
【００２４】
かかる除塵工程２を経た懸濁液は直接または他の処理を介してフローテーター５に送られ、インキ・夾雑物がフローテーションにより除去される。フローテーター５としては公知のあらゆる装置を利用できる。ここで、除塵工程２を経た懸濁液を、必要に応じて比重差分離装置や、スクリーニング装置を介して夾雑物をある程度まで分離除去した後に、フローテーター５に供給することもできる。比重差分離装置としては所謂クリーナーを用いることができる。またスクリーニングには、ホールスクリーンやスリットスクリーンを用いることができ、また必要に応じて複数段、複数種のスクリーンを使用することができる。
【００２５】
かかる夾雑物除去処理を経た懸濁液は、漂白処理１０工程等を経て、より具体的には比重差分離工程、スクリーニングによるインキ・夾雑物の分離除去工程、脱水装置による脱水工程、機械的攪拌によりインキ・夾雑物を微細化し且つ懸濁液中に分散させる分散処理工程（所謂ニーダーまたはディスパーザーを使用できる）、過酸化水素等の漂白薬品の添加による漂白処理工程１０、残留するインキおよび夾雑物を更に分離除去するポストフローテーション工程、脱水処理工程および貯蔵処理工程等（これらの処理は適宜取捨選択できる）を順に経て古紙パルプとして、ペーパーマシン等の仕向け先に供給できる。ペーパーマシンに送る前に他のパルプと混合せしめてもよい。
【００２６】
（実施例）
本発明にかかる感圧記録用紙（実施例１〜４）と本発明とは異なる感圧記録用紙（比較例１〜３）とについて、発色濃度（マクベス濃度）、発色汚れ、印刷適性、作業性を比較し評価した。実施例および比較例にかかる感圧記録用紙は、米坪４０ｇ／ｍ2の原紙の表面に既知の感圧用カプセル塗料を３ｇ／ｍ2で塗工し、裏面に顕色剤含有塗料を４ｇ／ｍ2で塗工して形成した。
【００２７】
各実施例および各比較例に用いた原紙のパルプ配合割合については、結果および物性とともに表１中に記載する。なお、実施例および比較例の原紙の物性および評価項目の詳細は次記のとおりである。
［平滑度］ＪＩＳ  Ｐ  ８１１９に基づいて測定した。
［不透明度］ＪＩＳ  Ｐ  ８１３８に基づいて測定した。
［摩擦係数］ステンレス製の平板上にサンプルを貼り付け、１ｋｇ荷重を紙面上で移動させた際の摩擦係数を測定した。
［発色濃度（マクベス濃度）］マクベス濃度計で発色濃度を評価した。評価は、◎大変よい＞○良い＞△やや悪い＞×悪いの４段階で評価した。
［発色汚れ］断裁機による加圧テストで汚れが発生するか否かを目視にて確認した。評価は、◎大変よい＞○良い＞△やや悪い＞×悪いの４段階で評価した。
［印刷適性］ＲＩテスターにてインクの着肉性を評価した。評価は、◎大変よい＞○良い＞△やや悪い＞×悪いの４段階で評価した。
［作業性］シートを揃え堆積させる際の、揃えやすさ・取り扱い性を評価した。
評価は、◎大変よい＞○良い＞△やや悪い＞×悪いの４段階で評価した。
【００２８】
【表１】
2004130737.tif 000001
【００２９】
表１からみてとれるように、本発明の実施例については、すべての評価項目で良い以上の結果となったのに対し、比較例では何れかの評価項目でやや悪いまたは悪いの評価がある結果となった。
【００３０】
【発明の効果】
以上詳述のとおり、本発明によれば、安価な雑誌古紙パルプを原料として、発色性が良く、感圧汚れが少なく、しかも不透明度が高い、印刷適性および作業適性に優れる感圧記録用紙が提供される。
【図面の簡単な説明】
【図１】
本発明に好適な原紙の製造方法の例を示すフロー図である。
【符号の説明】
１…機械攪拌式離解装置、２…除塵工程、５…フローテーター、１０…漂白処理工程。